(57)【要約】【課題】  パンチ金型組立体をパンチ組立体とパンチガイドとに分解するときに、パンチ刃先でパンチガイド内面を傷つけることもなく、また分解時に専用工具を必要としないパンチ金型組立体の提供。【解決手段】  パンチボディ3上端部のパンチヘッド11と、該パンチヘッドの下側に設けたリテーナー13との間にストリッパースプリング17を弾装してなるパンチ組立体2と、該パンチ組立体のパンチボディをパンチガイド45に着脱可能に保持したパンチ金型組立体1において、パンチガイドまたはリテーナーのいずれか一方に複数の係止片53を保持し、該係止片を該係止片を非保持のパンチガイドまたはリテーナーの外周に設けた環状凹部のいずれか一方に係合または非係合にする操作リング59を設けたことを特徴とするパンチ金型組立体。【選択図】    図１
2006000915.tif 000002
【特許請求の範囲】
【請求項１】
パンチボディ上端部のパンチヘッドと、該パンチヘッドの下側に設けたリテーナーとの間にストリッパースプリングを弾装してなるパンチ組立体と、該パンチ組立体のパンチボディをパンチガイドに着脱可能に保持したパンチ金型組立体において、前記パンチガイドまたは前記リテーナーのいずれか一方に複数の係止片を保持し、該係止片を非保持の前記パンチガイドまたは前記リテーナーの外周に設けた環状凹部のいずれか一方に係合または非係合にする操作リングを設けたことを特徴とするパンチ金型組立体。
【請求項２】
請求項１に記載のパンチ金型組立体において、前記係止片に前記リテーナーの外周面に設けた前記環状凹部と、前記パンチガイドの上部外周面に設けた環状凹部とに係合自在の上下一対の凸部を設け、該係止片を前記パンチガイドの上部外周または前記リテーナーの外周に設けた環状凹部に係合状態に保持する環状の係止片保持部材を設けると共に、前記係止片を前記リテーナーの外周面に設けた前記環状凹部またはパンチガイドの上部外周面に設けた環状凹部に対して係合させてパンチ組立体をパンチガイドに固定するロック位置と、前記係止片を前記リテーナーの外周面に設けた環状凹部または前記パンチガイドの上部外周面に設けた環状凹部に対して非係合にしてパンチ組立体をパンチガイドに対してアンロック状態にする操作を行う操作リングを前記リテーナーまたは前記パンチガイドの外周に上下動可能に設けたことを特徴とするパンチ金型組立体。
【請求項３】
請求項２に記載のパンチ金型組立体において、前記複数の係止片を互いに離隔した位置に保持する複数の円弧状のスペーサーを前記係止片保持部材に装着して設けことを特徴とするパンチ金型組立体。
【発明の詳細な説明】
【技術分野】
【０００１】
本発明はパンチ金型組立体に関する。
【背景技術】
【０００２】
タレットパンチプレスなどに使用されるパンチ金型組立体では、パンチとパンチガイドの組み立てまたは分解が容易にできる構造となっている。
【０００３】
例えば、パンチガイドにパンチボディを挿入した後に、パンチボディがパンチガイドから抜け出さないように、パンチボディ上部の細径部分にリテーナーが上から嵌合してあり、このリテーナーの外周に設けた環状の溝にＯリングを装着し、パンチガイド上端の内径部に設けた環状の溝に前記Ｏリングを係合させることにより、パンチをパンチガイドに装着固定する構造になっている（例えば特許文献１の図３）。
【０００４】
一方、これとは逆に、パンチガイド上部の内径部に設けたの環状の溝にＯリングを装着し、パンチボディに設けたリテーナーの外周の環状の溝に前記Ｏリングを係合させることでリテーナーとパンチガイドとを装着固定するものもある（例えば特許文献１の図５）。
【特許文献１】特開平６−１５３８２号公報
【発明の開示】
【発明が解決しようとする課題】
【０００５】
上述の後者のパンチ金型組立体においては、リテーナーの外周の溝の寸法公差と、パンチガイドのＯリング装着溝の寸法公差とがあるので、嵌め合いがきつくなったり緩くなったりする。そのため、パンチとパンチガイドに分解するときに、勢い余ってパンチの刃先でパンチガイド内面を傷つけることがある。また、嵌め合いをあまり緩くすると、パンチ金型組立体をタレットパンチプレスのタレットから取り外すときに分解してパンチガイドがタレット内部に残ってしまうこともある。
【０００６】
前者のパンチ金型組立体においては、タレットから取り外すときに分解しないように嵌め合いをきつく設定しているので、分解には専用の工具が必要となる。
【０００７】
本発明は上述の如き問題を解決するためになされたものであり、本発明の課題は、パンチ金型組立体をパンチ組立体とパンチガイドとに分解するときに、嵌め合い公差が緩いためにパンチ刃先でパンチガイド内面を傷つけることもなく、また分解時に専用工具を必要としないパンチ金型組立体を提供することである。
【課題を解決するための手段】
【０００８】
上述の課題を解決する手段として請求項１に記載のパンチ金型組立体は、パンチボディ上端部のパンチヘッドと、該パンチヘッドの下側に設けたリテーナーとの間にストリッパースプリングを弾装してなるパンチ組立体と、該パンチ組立体のパンチボディをパンチガイドに着脱可能に保持したパンチ金型組立体において、前記パンチガイドまたは前記リテーナーのいずれか一方に複数の係止片を保持し、該係止片を非保持の前記パンチガイドまたは前記リテーナーの外周に設けた環状凹部のいずれか一方に係合または非係合にする操作リングを設けたことを要旨とするものである。
【０００９】
請求項２に記載のパンチ金型組立体は、請求項１に記載のパンチ金型組立体において、前記係止片は前記リテーナーの外周面に設けた前記環状凹部と、前記パンチガイドの上部外周面に設けた環状凹部とに係合自在の上下一対の凸部を設け、該係止片を前記パンチガイドの上部外周または前記リテーナーの外周に設けた環状凹部に係合状態に保持する環状の係止片保持部材を設けると共に、前記係止片を前記リテーナーの外周面に設けた前記環状凹部またはパンチガイドの上部外周面に設けた環状凹部に対して係合させてパンチ組立体をパンチガイドに固定するロック位置と、前記係止片を前記リテーナーの外周面に設けた環状凹部または前記パンチガイドの上部外周面に設けた環状凹部に対して非係合にしてパンチ組立体をパンチガイドに対してアンロック状態にする操作を行う操作リングを前記リテーナーまたは前記パンチガイドの外周に上下動可能に設けたことを要旨とするものである。
【００１０】
請求項３に記載のパンチ金型組立体は、請求項２に記載のパンチ金型組立体において、前記複数の係止片を互いに離隔した位置に保持する複数の円弧状のスペーサーを前記係止片保持部材に装着して設けことを要旨とするものである。
【発明の効果】
【００１１】
請求項１、２または３の発明によれば、パンチ組立体をパンチガイドに装着固定するのに、パンチガイドまたはリテーナーのいずれか一方に複数の係止片を保持し、該係止片を該係止片を非保持の前記パンチガイドまたは前記リテーナーの外周に設けた環状凹部のいずれか一方に係合または非係合にする操作リングの上下動により行うので、パンチ金型組立体をパンチ組立体とパンチガイドとに分解するときに、比較的に軽い力で容易に行えると共に、分解時に勢い余ってパンチ刃先でパンチガイド内面を傷つけるようなことがない。
【００１２】
また、パンチガイドに設けた操作リングの嵌合は比較的に緩くてもよいので、パンチ組立体とパンチガイドとに分解するのに専用工具を必要としない。
【発明を実施するための最良の形態】
【００１３】
以下、本発明の実施の形態を図面によって説明する。
【００１４】
図１は本発明に係るパンチ金型組立体１の全体を説明する図である。総括的に示したパンチ金型組立体１はパンチ組立体２と、このパンチ組立体２を構成するパンチボディ３を上下動自在に案内する後述のパンチガイド４５と、このパンチガイド４５と前記パンチ組立体２とを着脱可能に固定する後述のパンチガイド固定手段４７とからなっている。
【００１５】
始めにパンチ組立体２の構成を説明する。図１に示すように、パンチボディ３の上部にパンチボディ３より細い細径部５が形成してあり、この細径部５の上部には細径部５より若干細い雄ねじ部７が設けてある。また、パンチボディ３の下端部は、図示省略のダイの穴形状に相似形の切り刃９が形成してある。なお、パンチボディ３の軸心には、オイルミストを打抜き加工部へ供給するための管路５４を設けると共に、この管路５４とパンチガイド４５の摺動部に連通する管路５６が設けてある。
【００１６】
パンチボディ３の上部の前記雄ねじ部７には、パンチヘッド１１の雌ねじ部１１ｎが螺合させてあり、後に詳述するパンチヘッドロック手段によりパンチヘッド１１のパンチボディ３に対する回転が規制してある。
【００１７】
パンチヘッド１１には、パンチヘッド１１から下方に延伸する中空の円筒部１１ｓが一体的に形成してあり、この円筒部１１ｓの内径部に前記パンチボディ３の細径部５が摺動可能に嵌合してある。なお、この円筒部１１ｓの外径はパンチヘッド１１の外径より小径に設けてある。
【００１８】
前記円筒部１１ｓの外径部には、フランジ１３ｆを備えたリテーナー１３が上下動可能に嵌合してある。この円筒部１１ｓの下端部には、スナップリング１５が取り付けてあり、このスナップリング１５により、リテーナー１３は下方へは抜けないようになっている。
【００１９】
上述のリテーナー１３と前記パンチヘッド１１の間には、打抜き加工時にワークからパンチボディを抜き取るのに必要な力が出せるストリッパースプリング１７が弾装してある。
【００２０】
また、前記パンチヘッド１１の外周下面には、パンチヘッド１１から下方に延伸したスプリングカバー１９が設けてあり、このスプリングカバー１９はスプリングカバー上部の取付け穴部１９ｈをストリッパースプリング１７でパンチヘッド１１に押圧挟持することにより取り付けてある。
【００２１】
図２、図３は前記パンチヘッド１１のパンチボディ３に対する回転を規制するパンチヘッドロック手段を説明する図である。
【００２２】
図２、図３を参照するに、前記パンチボディ３上部の前記雄ねじ部７には、上下方向に延びる６本の係止溝２１が６０度の間隔で設けてある。
【００２３】
パンチヘッド１１には、パンチヘッド１１の外周からパンチヘッド１１の中心に向かう水平で、かつ前記雄ねじ部７に直交する貫通穴２３が設けてあり、この貫通穴２３に前記係止溝２１に係合可能な鋼球２５が挿入してある。
【００２４】
また、上述のパンチヘッド１１には、パンチヘッド１１の中心から一定離隔に位置すると共に、前記貫通穴２３に直交しかつ水平方向に延伸しためくら穴２７が設けてある。このめくら穴２７には、前記鋼球２５を係止溝２１に係合状態に押圧保持自在のロックピン２９が摺動自在に挿入してある。
【００２５】
前記ロックピン２９の先端部には戻しスプリングを保持するスプリング受け穴３１が設けてあり、このスプリング受け穴３１とめくら穴２７底部との間に戻しスプリング３３が挿入してある。
【００２６】
前記貫通穴２３の上部には、すなわちパンチヘッド１１の外周部には、貫通穴２３と同一水平面にあって、貫通穴２３に結合する切欠き溝３５がパンチヘッド１１の外周に開口するように設けてある。そして、前記ロックピン２９には、この切欠き溝３５に係合するピン３７が打ち込んである。
【００２７】
上述のロックピン２９に打ち込んだピン３７の先端部はロックピン２９の表面から若干引っ込んでいて、その先端部に前記鋼球２５が係合自在の凹部３９が形成してある。また、ロックピン２９の頭部近傍に位置するパンチヘッド１１の外周部には、切欠き４１が形成してある。
【００２８】
上記パンチヘッドロック手段において、図２はパンチヘッドロック手段が作動してパンチヘッド１１の回転が規制された状態を示している。すなわち、鋼球２５がロックピン２９に係合押圧された状態にあり、鋼球２５とパンチヘッド１１の雄ねじ部７に設けた係止溝２１は係合してパンチヘッド１１の回転が規制されている。
【００２９】
パンチヘッドロック手段を解除してパンチヘッド１１を回転するには、ロックロックピン２９の頭部を指で押圧して、ロックピン２９の凹部３９を鋼球２５の位置に移動させれば、鋼球２５は凹部３９へ移動可能となるため、パンチヘッド１１を６０度単位の回転角度で適宜に回転することができる。そして、ロックピン２９の押圧を止めればその位置でロック状態となる。
【００３０】
なお、パンチボディ３の刃先が摩耗して刃先を再研磨したとき、パンチハイトを当初の設定値に戻す場合に、上述のパンチヘッドロック手段を使用すればパンチハイトの調節を正確にかつ容易に行うことができる。
【００３１】
次いで、図１、図４および図５参照しながら、前記パンチガイド４５とパンチガイド固定手段４７について説明する。
【００３２】
パンチガイド４５は、前記パンチボディ３を上下動自在にガイドするガイド部４５ｇを備えると共に上部のフランジ部４５ｆにパンチガイド固定手段４７が設けてある。
【００３３】
また、前記パンチボディ３に設けたガイドキー４６がパンチガイド４５に上下方向に設けたキー溝４８に摺動自在に係合させてある。さらに、パンチガイド４５の外周下方には、前記キー溝４８と同方向および直交する方向に図示しないパンチホルダーのキーに係合自在のキー溝５０が設けてある。
【００３４】
パンチガイド４５のフランジ部４５ｆの外周面には、環状凹部４９が設けてある。この環状凹部４９と前記リテーナー１３の外周面に設けた環状凹部５１とに係合自在の上下一対の凸部５２（ａ，ｂ）を備えた３個の係止片５３がパンチガイド４５の環状凹部４９に係合状態に保持するために、係止片保持部材としてＯリング５５で３個の係止片５３の下側の凸部５２ｂを環状凹部４９に固定してある。
【００３５】
なお、係止片５３を環状凹部４９に等間隔に保持するために、製造が容易の樹脂製の３個の円弧状のスペーサー５７が係止片５３の間に均等に配置してある。  上述の３個の係止片５３を前記リテーナー１３の外周面に設けた環状凹部５１に対して係合させて前記パンチ組立体２をパンチガイド４５に固定するロック位置ＲＰと、前記係止片５３を前記リテーナー１３の外周面に設けた環状凹部５１に対して非係合にしてパンチ組立体２をパンチガイド４５に対してアンロック位置ＵＲにする動作を行わせる操作リング５９が前記パンチガイド４５の上部外周面および前記リテーナー１３の外周面とに上下動可能に比較的に緩い嵌合で装着してある。
【００３６】
なお、操作リング５９には、操作リング５９がロック位置ＲＰにある時、およびアンロック位置ＵＲにあるときに、前記Ｏリング５５に係合する係合溝６１(r,u)が設けてあるので、操作リング５９をロック位置ＲＰまたはアンロック位置ＵＲに保持することができる。
【００３７】
上記構成のパンチガイド固定手段４７において、図１の右側半断面図に示す如く、操作リング５９を上方のロック位置ＲＰへ移動させれば、係止片５３の上側の凸部５２ａが操作リング５９に押圧されて、リテーナー１３の外周面に設けた環状凹部５１に係合する。その結果、リテーナー１３とパンチガイド４５とが固定され、パンチ組立体２とパンチガイド４５が固定されることになる。
【００３８】
また、図１の左側半断面図に示す如く、操作リング５９を下方のアンロック位置ＵＲへ移動させれば、係止片５３の上側の凸部５２ａが外側へ移動可能となるので、パンチ組立体２をパンチガイド４５から容易に抜き取ることができる。
【００３９】
なお、上述のパンチガイド固定手段４７においては、パンチガイド４５の環状凹部４９に係止片５３の下側凸部５２ｂを係止片保持部材により、例えばＯリング５５で保持し、この係止片５３の上側凸部５２ａをリテーナー１３の外周面に設けた環状凹部５１に係脱可能に操作する操作リング５９を上下動可能に設けた実施例を示したが、リテーナー１３の外周面に設けた環状凹部５１に係止片５３の上側凸部５２ａを係止片保持部材により、例えばＯリング５５で保持し、この係止片５３の下側凸部５２ｂをパンチガイド４５の環状凹部４９に係脱可能に操作する操作リング５９を設けた構成にしても同様な作用効果を得ることができるものである。
【００４０】
次に、図６〜図８を参照しながら、前記パンチガイド４５に対して着脱交換自在のストリッパープレート６３について説明する。
【００４１】
前記パンチガイド４５の下端部には、２本のキー溝５０のそれぞれに対して４５度方向に開口したＵ字形のストリッパープレート装着溝６５が設けてある。一方、ストリッパープレート６３には、このストリッパープレート装着溝６５に係合する軸部６３ｓと、ワーク（図示省略）に当接するフランジ部６３ｆとを備えると共に、前記パンチボディ３刃先部９の形状に合わせたガイド穴６７が前記軸部６３ｓと同軸に設けてある。この軸部６３ｓには、リティニングリング６９とＯリング７１とが軸部６３ｓに設けた周溝に密接弾装してある。
【００４２】
図７に示すように、前記ストリッパープレート装着溝６５は、パンチガイド４５の下端面から上方へ段差ｈの段部を形成しており、さらにこの段部の上面から深さΔｈの座繰り穴６６が前記ガイド部４５ｇに同軸に設けてある。また、パンチガイド４５の下端面の近傍には、前記座繰り穴６６と同一径で、かつ前記ストリッパープレート６３の軸部６３ｓと同径の逃げ部７３が設けてある。
【００４３】
また、前記パンチガイド４５の逃げ部７３において、前記２本のキー溝５０の中間位置に、すなわちストリッパープレート装着溝６５の開口方向に係止ピン７５が逃げ部７３内に頭部が若干突出するように打ち込んである。
【００４４】
また、前記ストリッパープレート装着溝６５の開口部上部の両端面には、開口部入り口から奥に向かって上昇するテーパー７７が設けてある。
【００４５】
前記ストリッパープレート６３の軸部６３ｓには、上述の係止ピン７５に係合するキー溝７９が設けてあり、ストリッパープレート６３の外周には前記キー溝７９を中心にして左右４５度の位置に、前記キー溝５０と一致する逃げ溝８１が設けてある。
【００４６】
次に、上記構成のストリッパープレート６３の着脱について説明する。
【００４７】
ストリッパープレート６３をパンチガイド４５に装着する場合には、図６に示すように、ストリッパープレート６３の軸部６３ｓをストリッパープレート装着溝６５に係合させて、矢印Ｓの方向に指先で押圧する。ストリッパープレート６３のキー溝７９がパンチガイド４５の係止ピン７５に係合する中心位置まで挿入すると、リティニングリング６９にバックアップされたＯリング７１の弾性により軸部６３ｓが座繰り穴６６側へ付勢され、軸部６３ｓが座繰り穴６６に嵌合すると同時に係止ピン７５によりストリッパープレート６３の方向が位置決めされる。
【００４８】
これにより、ストリッパープレート６３の軸部６３ｓ端面と座繰り穴６６の端面とが密着する。したがって、パンチガイドの内周の摺動面に供給された潤滑油が外部に漏洩することがない。また、ストリッパープレート６３の軸部６３ｓ端面と座繰り穴６６の端面とが密着するので、パンチング時にチャタリングして騒音が発生するすることもなくなる。
【００４９】
また、パンチ刃先の形状が異なるものを使用する場合には、ストリッパープレート６３のみを交換すればよく、パンチガイド全体を交換する場合に比較して経済的である。
【００５０】
なお、ストリッパープレート６３を取りはず場合には、矢印Ｒの方向に指先で押圧することにより、取り外し用の専用工具を使用せずに簡単に取り外すことができる。また、前記テーパー７７を設けたことにより、ストリッパープレート６３装着が容易になる。
【図面の簡単な説明】
【００５１】
【図１】本発明に係るパンチ金型組立体の説明図。
【図２】パンチヘッドをパンチボディにロックするパンチヘッドロック手段の説明図（図１のＡ−Ａ断面）。
【図３】図２におけるＢ矢視図。
【図４】図１におけるＤ−Ｄ断面図。
【図５】図４におけるＥ−Ｅ断面図。
【図６】図１におけるＣ矢視図で、板押さえを外した状態を示した図。
【図７】図６におけるＦーＦ断面図。
【図８】図６において、ストリッパープレートを装着したときのＦーＦ断面図。
【符号の説明】
【００５２】
１  パンチ金型組立体
２  パンチ組立体
３  パンチボディ
５  細径部
７  雄ねじ部
９  切り刃
１１  パンチヘッド
１１ｎ  雌ねじ部  
１１ｓ  円筒部
１３    リテーナー
１３ｆ  フランジ
１５  スナップリング
１７  ストリッパースプリング
１９  スプリングカバー
１９ｈ  取付け穴部
２１  係止溝
２３  貫通穴
２５  鋼球
２７  めくら穴
２９  ロックピン
３１  スプリング受け穴
３３  戻しスプリング
３５  切欠き溝
３７  ピン
３９  凹部
４１  切欠き
４５  パンチガイド
４５ｆ  フランジ部
４７  パンチガイド固定手段
４８  キー溝
４９  環状凹部
５０  キー溝
５１  環状凹部
５２（ａ，ｂ）  凸部
５３  係止片
５４  管路
５５  Ｏリング
５７  スペーサー
５９  操作リング
６１(r,u)  係合溝
６３  ストリッパープレート
６３ｓ  軸部
６３ｆ  フランジ部
６５  ストリッパープレート装着溝
６６  座繰り穴
６７  ガイド穴
６９  リティニングリング
７１  Ｏリング
７３  逃げ部
７５  係止ピン
７７  テーパー
７９  キー溝
８１  逃げ溝
ＲＰ  ロック位置
ＵＲ  アンロック位置
【図１】
2006000915.tif 000003
【図２】
2006000915.tif 000004
【図３】
2006000915.tif 000005
【図４】
2006000915.tif 000006
【図５】
2006000915.tif 000007
【図６】
2006000915.tif 000008
【図７】
2006000915.tif 000009
【図８】
2006000915.tif 000010